(57)【要約】【課題】グラウンドゴルフに代表されるスポーツ等の活動時に、記録者の身体動作を阻害することがなく、また移動時にも煩雑な作業を伴うことがなく、さらに高齢者にとっても試用時の利便性が高いベルト器具の提供を目的とする。【解決手段】本発明は、短冊形の基材部と、基材部の表面の下端近傍に設けられた文書ボード係止部と、基材部の裏面の上端近傍に設けられたベルト挿通部とを有する文書ボード用ホルダー、及びベルト挿通部に挿通され、文書ボード用ホルダーを懸垂する腰ベルトを備え、文書ボード係止部は、基材部の表面に対して垂直方向に扁平な空隙を有し、かつ少なくとも上面に開口を有する薄肉中空体であり、ベルト挿通部に腰ベルトが挿通された状態における腰ベルトの最下部と、開口の最上部との間の上下方向の距離が、少なくとも３０ｍｍ以上である文書ボード懸垂ベルト器具である。【選択図】図１
2011019752.tif 000002
【特許請求の範囲】
【請求項１】
短冊形の基材部、この基材部の表面の下端近傍に設けられた文書ボード係止部、及び基材部の裏面の上端近傍に設けられたベルト挿通部を有する文書ボード用ホルダーと、このベルト挿通部に挿通され、上記文書ボード用ホルダーを懸垂する腰ベルトとを備え、
上記文書ボード係止部は、基材部の表面に対して垂直方向に扁平な空隙を有し、かつ少なくとも上面に開口を有する薄肉中空体であり、
上記ベルト挿通部に腰ベルトが挿通された状態におけるこの腰ベルトの最下部と、上記開口の最上部との間の上下方向の距離が、少なくとも３０ｍｍ以上である文書ボード懸垂ベルト器具。
【請求項２】
上記文書ボード係止部に係止される文書ボードを更に備え、
この文書ボードが、平板状基板部、この平板状基板部の表面の上端近傍に設けられた文書固定部材、及び平板状基板部の裏面の上端近傍に設けられた係止部材を有する請求項１に記載の文書ボード懸垂ベルト器具。
【請求項３】
上記文書ボード係止部の薄肉中空体が、基材部の表面の下端近傍を一側面とし、上面及び下面に開口を有する略四角筒状に形成されており、この略四角筒状に形成された薄肉中空体の奥行方向の寸法及び幅方向の寸法が、薄肉中空体の上部から下部に向かう方向に沿って、漸進的に小さくなっており、
上記文書ボードの係止部材が、上部から下部に向かう方向に沿って、幅方向の寸法が漸進的に小さくなると共に、平板状基板部の裏面から漸進的に離間するように形成されており、
かつ、文書ボード係止部の薄肉中空体が有する基材部表面に対向する面の基材部表面に対する形成角度が、文書ボードの係止部材の平板状基板部に対する形成角度よりも小さい請求項２に記載の文書ボード懸垂ベルト器具。
【請求項４】
上記文書ボードの平板状基板部が、グラウンドゴルフ用の公式記録用紙の全体が載置される寸法を有する請求項２又は請求項３に記載の文書ボード懸垂ベルト器具。
【請求項５】
上記腰ベルトに吊垂されるペットボトル保持体を更に備え、
このペットボトル保持体は、ペットボトルが格納される有底円筒状のペットボトル格納部材と、このペットボトル格納部材の内面上端に接触して設けられた扁平な円筒枠体と、この円筒枠体から上方に突設された短冊形の保持部材と、この保持部材の裏面の上端近傍に設けられた吊垂部材とを有し、
この吊垂部材が腰ベルトに吊垂された状態におけるこの腰ベルトの最下部と、上記円筒枠体の最上部との間の上下方向の距離が、少なくとも３０ｍｍ以上である請求項１から請求項４のいずれか１項に記載の文書ボード懸垂ベルト器具。
【請求項６】
上記ペットボトル保持体の円筒枠体の内面の少なくとも一部が、断熱材によって形成されている請求項５に記載の文書ボード懸垂ベルト器具。
【請求項７】
上記文書ボード用ホルダーにおける基材部とベルト挿通部との間、基材部と文書ボード係止部との間、上記ペットボトル保持体における円筒枠体と保持部材との間、及び保持部材と吊垂部材との間の少なくとも一つが、スポット溶接によって接合されている請求項５又は請求項６に記載の文書ボード懸垂ベルト器具。
【請求項８】
上記文書ボード用ホルダーのベルト挿通部に腰ベルトが挿通された状態におけるこの腰ベルトの最下部と、上記開口の最上部との間の上下方向の距離、又は、上記ペットボトル保持体の吊垂部材が腰ベルトに吊垂された状態におけるこの腰ベルトの最下部と、上記円筒枠体の最上部との間の上下方向の距離を調節するための手段を有する請求項１から請求項７のいずれか１項に記載の文書ボード懸垂ベルト器具。
【発明の詳細な説明】
【技術分野】
【０００１】
本発明は、文書ボードを腰部から懸垂するために好適に用いられる文書ボード懸垂ベルト器具に関する。
【背景技術】
【０００２】
近年の高寿命化や健康志向の高まりから、高齢者が積極的にスポーツを行う機会が増加している。また、ゲートボール、グラウンドゴルフなど、高齢者でも無理なくプレーできるようなルールを有するスポーツが広範囲に普及している。それに伴って、これらの高齢者に適したスポーツの社会的な認知度も高まってきており、競技場の建設も盛んに進められている。
【０００３】
ところで、例えば、グラウンドゴルフについては、プレー中に、参加者のスコアを随時記録する必要がある。高齢者は、一般に視力が低下していることや、メモ機能付きの携帯電話や携帯情報端末等の電子機器の取扱いに慣れていないことなどから、ペンや鉛筆などの筆記具を用いて、記録用紙に直接スコアを記録する場合が多い。このように記録用紙にスコアを記録する際には、記録用紙を文書ボード（クリップファイル等と称されることがある）に載置・固定した状態でスコアを記入する作業が通常行われる。また、グラウンドゴルフにおいて、正確にスコアを記録するためには、ある程度の視力に加えて経験も必要であることから、スコアの記録係を予め決めておき、記録係がその人自身と他人のスコアを記録するのが慣例となっている。
【０００４】
団体で競技が行われるグラウンドゴルフにおいて、このような記録係は、一般的に、文書ボードの一部に紐を締結あるいは貫通させて首から吊垂可能な状態とし、他人がプレーしている間には、文書ボードを首から吊垂させてスコアを記入する。そして、記録係自身がプレーしている間には、一次的に文書ボードを地面に置くか又は他人に預けておいて、プレー直後に自身のスコアを記入することになる。しかし、記録係にとって、自身がプレーする度にこのような作業を繰り返し、また文書ボードを手に持った状態で、ホール内又はホール間を移動するのは、煩雑な作業であるため、肉体的な負荷や心理的なストレスにつながるという不都合がある。
【０００５】
特開平８−２２９１７４号公報には、ティー等を収納するための携帯要素と、ボール保持具とが、それぞれベルトに着脱自在に取り付けられているゴルフ用品携帯用具が開示されている。このようなゴルフ用品携帯用具を用いることによって、様々なゴルフ用品及びボールをベルト周囲に携帯した状態でプレー及び移動を行うことができるという利点が得られる。しかしながら、特開平８−２２９１７４号公報には、スコア記録に関わる上記の問題点の解消や、高齢者が好適に使用できるような構成については、何ら記載されていない。
【０００６】
従って、スコアや現況などを記録することが必要なグラウンドゴルフに代表されるスポーツ等の活動時に、軽快な身体動作を阻害せず、また移動が物理的に簡便であると共に、高齢者にとっても好適に使用可能なように工夫されたベルト器具の開発が、強く望まれている。
【先行技術文献】
【特許文献】
【０００７】
【特許文献１】特開平８−２２９１７４号公報
【発明の概要】
【発明が解決しようとする課題】
【０００８】
本発明はこれらの不都合に鑑みてなされたものであり、スコアや現況などを記録することが必要なグラウンドゴルフに代表されるスポーツ等の活動時において、記録を行う者が身体動作を行う際に、軽快な動きを阻害することがなく、また場所の移動時にも物理的に煩雑な作業を伴うことがなく、さらには高齢者にとっても使用時の利便性が高いベルト器具の提供を目的とするものである。
【課題を解決するための手段】
【０００９】
上記課題を解決するためになされた発明は、
短冊形の基材部、この基材部の裏面の上端近傍に設けられたベルト挿通部、及び基材部の表面の下端近傍に設けられた文書ボード係止部を有する文書ボード用ホルダーと、このベルト挿通部に挿通され、上記文書ボード用ホルダーを懸垂する腰ベルトとを備え、
上記文書ボード係止部は、基材部の表面に対して垂直方向に扁平な空隙を有し、かつ少なくとも上面に開口を有する薄肉中空体であり、
上記ベルト挿通部に腰ベルトが挿通された状態におけるこの腰ベルトの最下部と、上記開口の最上部との間の上下方向の距離が、少なくとも３０ｍｍ以上である文書ボード懸垂ベルト器具である。  
【００１０】
当該文書ボード懸垂ベルト器具は、基材部裏面に設けられたベルト挿通部、及び基材部表面に設けられた文書ボード係止部を有する文書ボード用ホルダーと、ベルト挿通部に挿通され、文書ボード用ホルダーを懸垂する腰ベルトとを備えることから、スポーツのスコアの記録用紙などが固定された文書ボードを係止した状態で、文書ボード用ホルダーを懸垂した腰ベルトを装着して軽快に競技あるいは歩行することができる。また、文書ボード係止部が、基材部の表面に対して垂直方向に扁平な空隙を有し、かつ少なくとも上面に開口を有する薄肉中空体であることから、文書ボードを上方から容易に係止・保持することができる。さらに、ベルト挿通部に腰ベルトが挿通された状態（当該文書ボード懸垂ベルト器具を着用した状態）におけるこの腰ベルトの最下部と、文書ボード係止部の開口の最上部との間の上下方向の距離が、少なくとも３０ｍｍ以上であることから、開口が腰部よりも低い位置に設定されることになり、関節の柔軟性が低い高齢者でも、文書ボードを文書ボード係止部にスムーズに挿入することが可能であり、高齢者の肉体的な負担・ストレスを軽減することができる。
【００１１】
当該文書ボード懸垂ベルト器具は、文書ボード係止部に係止される文書ボードを更に備え、この文書ボードが、平板状基板部、この平板状基板部の表面の上端近傍に設けられた文書固定部材、及び平板状基板部の裏面の上端近傍に設けられた係止部材を有することが好ましい。当該文書ボード懸垂ベルト器具が、文書ボード係止部に係止可能な文書ボードを更に備えることによって、文書ボードを文書ボード係止部に確実に係止した状態で、文書ボード及びこれに固定したスポーツのスコアの記録用紙などを常に身体に装着して、競技あるいは歩行を行うことができる。
【００１２】
当該文書ボード懸垂ベルト器具において、文書ボード係止部の薄肉中空体は、基材部表面の下端近傍を一側面とし、上面及び下面に開口を有する略四角筒状に形成されており、この略四角筒状に形成された薄肉中空体の奥行方向の寸法及び幅方向の寸法が、薄肉中空体の上部から下部に向かう方向に沿って漸進的に小さくなっており、文書ボードの係止部材が、上部から下部に向かう方向に沿って、幅方向の寸法が漸進的に小さくなると共に、平板状基板部の裏面から漸進的に離間するように形成されており、かつ、文書ボード係止部の薄肉中空体が有する基材部表面に対向する面の基材部表面に対する形成角度が、文書ボードの係止部材の平板状基板部に対する形成角度よりも小さいことが好ましい。
【００１３】
このように文書ボード係止部の薄肉中空体が、基材部の表面の下端近傍を一側面とし、上面及び下面に開口を有する略四角筒状に形成されていることによって、基材部に対する文書ボード係止部の取付施工が容易となり、ひいては材料コスト削減につながる。また、この略四角筒状に形成された薄肉中空体の奥行方向の寸法及び幅方向の寸法が、薄肉中空体の上部から下部に向かう方向に沿って漸進的に小さくなっており、文書ボードの係止部材が、上部から下部に向かう方向に沿って、幅方向の寸法が漸進的に小さくなると共に、平板状基板部の裏面から漸進的に離間するように形成されていることによって、文書ボードの係止部材を文書ボード係止部の薄肉中空体に、容易に挿入することができ、さらには係止部材が薄肉中空体に対して安定して係止・保持され、身体動作の間においても、文書ボードの落下や紛失を防止することが可能となる。加えて、文書ボード係止部の薄肉中空体が有する基材部表面に対向する面の基材部表面に対する形成角度を、文書ボードの係止部材の平板状基板部に対する形成角度よりも小さくすることによって、文書ボードの係止部材を文書ボード係止部の薄肉中空体に対して、特別な操作や外力を施すことなくスムーズに挿入することができると共に、文書ボードの安定した係止状態を保ちながらも、基材部に垂直な方向における文書ボードの振動しろを確保することができるため、より軽快かつ余裕のある身体動作が可能となる。
【００１４】
当該文書ボード懸垂ベルト器具において、文書ボードの平板状基板部は、グラウンドゴルフ用の公式記録用紙の全体が載置される寸法を有することが好ましい。文書ボードの平板状基板部がこのような寸法を有することによって、グラウンドゴルフにおけるスコアの記録を確実かつ容易に行うことができる。
【００１５】
当該文書ボード懸垂ベルト器具は、腰ベルトに吊垂されるペットボトル保持体を更に備え、このペットボトル保持体は、ペットボトルが格納される有底円筒状のペットボトル格納部材と、このペットボトル格納部材の内面の上端に接触して設けられた扁平な円筒枠体と、この円筒枠体から上方に突設された短冊形の保持部材と、この保持部材の裏面の上端近傍に設けられた吊垂部材とを有し、この吊垂部材が腰ベルトに吊垂された状態におけるこの腰ベルトの最下部と、上記円筒枠体の最上部との間の上下方向の距離が、少なくとも３０ｍｍ以上であることが好ましい。
【００１６】
当該文書ボード懸垂ベルト器具が、腰ベルトに吊垂されるペットボトル保持体を更に備えることによって、歩行中あるいはスポーツの競技中において、場所及び時間を選ぶことなく、容易に水分を補給することができる。また、このペットボトル保持体が、ペットボトルが格納される有底円筒状のペットボトル格納部材と、このペットボトル格納部材の内面上端に接触して設けられた扁平な円筒枠体と、この円筒枠体から上方に突設された短冊形の保持部材と、この保持部材の裏面の上端近傍に設けられた吊垂部材とを有することによって、身体動作を阻害することなく、ペットボトルを腰部から確実に吊垂することができる。さらには、この吊垂部材が腰ベルトに吊垂された状態（当該文書ボード懸垂ベルト器具を着用した状態）におけるこの腰ベルトの最下部と、上記円筒枠体の最上部との間の上下方向の距離が、少なくとも３０ｍｍ以上であることから、円筒枠体の最上部（すなわちペットボトルの格納入口）が腰部よりも低い位置に設定されることになり、関節の柔軟性が低い高齢者でも、ペットボトルをペットボトル格納部材にスムーズに挿入することが可能であり、高齢者の肉体的な負担・ストレスを軽減することができる。
【００１７】
当該文書ボード懸垂ベルト器具において、ペットボトル保持体の円筒枠体の内面の少なくとも一部は断熱材によって形成されていることが好ましい。このように、円筒枠体の内面の少なくとも一部に断熱材を用いることによって、ペットボトル内の飲料の温度（例えば、冬期であれば高温、夏期の場合は低温）を、長時間にわたって所望の範囲に保持することができる。
【００１８】
当該文書ボード懸垂ベルト器具において、文書ボード用ホルダーにおける基材部とベルト挿通部との間、基材部と文書ボード係止部との間、ペットボトル保持体における円筒枠体と保持部材との間、及び保持部材と吊垂部材との間の少なくとも一つが、スポット溶接によって接合されていることが好ましい。このように、金属製の部材間の接合をスポット溶接で行うことによって、部材間を強固に接合することができ、また施工のコストを低減することが可能となる。
【００１９】
当該文書ボード懸垂ベルト器具において、文書ボード用ホルダーのベルト挿通部に腰ベルトが挿通された状態におけるこの腰ベルトの最下部と、開口の最上部との間の上下方向の距離、又は、ペットボトル保持体の吊垂部材が腰ベルトに吊垂された状態におけるこの腰ベルトの最下部と、円筒枠体の最上部との間の上下方向の距離を調節するための手段を有することが好ましい。このように、当該文書ボード懸垂ベルト器具が、挿通状態における腰ベルトの最下部と開口の最上部との間の上下方向の距離、又は吊垂状態における腰ベルトの最下部と円筒枠体の最上部との間の上下方向の距離を調節するための手段を有することによって、特定の身体動作に好適なように、あるいは各個の使用者の便宜に合わせて上記距離を調整することが可能となり、使用性がさらに改善される。
【発明の効果】
【００２０】
以上説明したように、本発明の文書ボード懸垂ベルト器具によれば、スポーツのスコアの記録用紙などが固定された文書ボードを係止した状態で、文書ボード用ホルダーを懸垂した腰ベルトを装着して軽快に競技あるいは歩行することができる上に、文書ボードを上方から容易に係止・保持することができる。さらに、当該文書ボード懸垂ベルト器具によれば、文書ボード係止部の開口が腰部よりも低い位置に設定されることになり、関節の柔軟性に欠ける高齢者でも、文書ボードを文書ボード係止部にスムーズに挿入することが可能であり、肉体的な負担などを軽減することができる。
【図面の簡単な説明】
【００２１】
【図１】本発明の一実施形態に係る文書ボード懸垂ベルト器具を、文書ボード用ホルダーの表面側から見た斜視図である。
【図２】図１の文書ボード懸垂ベルト器具を、文書ボード用ホルダーの裏面側から見た斜視図である。
【図３】図１の文書ボード懸垂ベルト器具を、文書ボード用ホルダーの側面側から見た平面図である。
【図４】図１の文書ボード懸垂ベルト器具に係止可能な文書ボードを、表面側から見た斜視図である。
【図５】図４の文書ボードを、裏面側から見た斜視図である。
【図６】図１の文書ボード懸垂ベルト器具の文書ボード用ホルダー及び図４の文書ボードの側面図である。
【図７】図１とは異なる実施形態に係る文書ボード懸垂ベルト器具の斜視図である。
【図８】図７の文書ボード懸垂ベルト器具を、ペットボトル保持体が有する保持部材の側面側から見た斜視図である。
【発明を実施するための形態】
【００２２】
以下、適宜図面を参照しつつ本発明の実施の形態を詳説する。
図１及び２に示された文書ボード懸垂ベルト器具１は、主に、文書ボード用ホルダー２及び腰ベルト６を有する。文書ボード用ホルダー２は、スポーツの競技や歩行中に後述の文書ボード９を身体近くに保持できるように、基材部３、文書ボード係止部４及びベルト挿通部５を有する。
【００２３】
文書ボード用ホルダー２の基材部３は、短冊形状（扁平な略直方体形状）であり、後述の文書ボード係止部４及びベルト挿通部５に対する基材として機能する。基材部３の全体は、ステンレスによって形成されている。基材部３の寸法は、特に限定されないが、典型的には、長手方向の寸法を１０ｃｍ以上２０ｃｍ以下、幅方向の寸法を４ｃｍ以上７ｃｍ以下、厚みを０．３ｍｍ以上３．０ｍｍ以下とすることができる。
【００２４】
文書ボード用ホルダー２の文書ボード係止部４は、基材部３の表面に対して垂直方向に扁平な空隙７を有し、かつ上面に開口８を有するステンレス製の薄肉中空体である。この文書ボード係止部４の薄肉中空体は、基材部３の表面の下端近傍を一側面とし、上面及び下面に開口を有する略四角筒状に形成されている（下面の開口は図示せず）。
【００２５】
図示されるように、文書ボード係止部４において、この略四角筒状に形成された薄肉中空体の奥行方向の寸法及び幅方向の寸法は、薄肉中空体の上部から下部に向かう方向に沿って、漸進的に小さくなっている。なお、ここでの「上」及び「下」は、腰ベルト着用時（文書ボード懸垂ベルト器具１の通常の使用状態）における鉛直上下方向を意味するものとする。文書ボード係止部４の薄肉中空体の最上部における奥行方向（基材部３の表面に対して垂直な方向）の寸法に対する、薄肉中空体の最下部における奥行方向の寸法の割合は、例えば、２０％以上８０％以下とすることができる。また、文書ボード係止部４の薄肉中空体の最上部における奥行方向の寸法は、例えば３ｍｍ以上１０ｍｍ以下とすることができる。一方、文書ボード係止部４の薄肉中空体の最上部における幅方向の寸法に対する、薄肉中空体の最下部における幅方向の寸法の割合は、例えば５０％以上９０％以下とすることができる。また文書ボード係止部４の薄肉中空体の最上部における幅方向の寸法は、例えば４ｃｍ以上７ｃｍ以下とすることができ、典型的には、基材部３の幅方向の寸法と略同一の寸法とされる。いずれにしても、文書ボード係止部４の薄肉中空体は、後述の図４〜５に図示された文書ボード９の係止部材１２の全体が格納されうる程度の寸法を有することが好ましい。
【００２６】
文書ボード係止部４は、基材部３の表面に、スポット溶接によって接合されている。スポット溶接は、接触抵抗に電流を一定時間加えて加熱し、この接触抵抗を用いて接合箇所を局所的に溶融させた後に接合することによって行われる。このようなスポット溶接で基材部３と文書ボード係止部４とを接合することによって、不必要な変形を抑制して、正確に所望の形状の構造物を得ることができると共に、接合強度の改善及び施工コストの低減を図ることが可能となる。
【００２７】
文書ボード用ホルダー２のベルト挿通部５は、その最下部に、小さい外力を及ぼすことによって腰ベルト６の厚みを挿通可能である程度の間隙を有し、略コの字形状に形成されたステンレス製部材である。ベルト挿通部５がこのような形状及び間隙を有することで、腰ベルト６が安定した挿通状態に保持される。ベルト挿通部５の寸法は、特に限定されないが、その長手方向の寸法は、少なくとも腰ベルト６の幅方向の全体が余裕をもって挿通可能である程度の大きさを有することが好ましい。ベルト挿通部５は、文書ボード係止部４と同様に、基材部３の表面に、スポット溶接によって接合されている。
【００２８】
腰ベルト６は、例えば、１ｃｍ以上５ｃｍ以下の幅方向（鉛直方向）の寸法、及び８０ｃｍ以上１５０ｃｍ以下の長手方向（腰周り方向）の寸法を有する。腰ベルト６の長手方向の寸法は、適宜調整可能なように構成されている。腰ベルト６の材質は、特に限定されないが、一般的に合成樹脂又は天然樹脂等の織布で形成されている。また、腰ベルト６には、ベルトの着脱が容易なように、合成繊維製あるいは金属製のバックルが付設されている。
【００２９】
図３に示されるように、文書ボード懸垂ベルト器具１において、ベルト挿通部５に腰ベルト６が挿通された状態におけるこの腰ベルト６の最下部と、文書ボード係止部４の開口８の最上部との間の上下方向の距離Ｈ１は、少なくとも３０ｍｍ以上である。この距離Ｈ１は、さらに好ましくは５０ｍｍ以上とすることができる。また、使用者の身体的特性や競技中の身体動作などに合わせて、距離Ｈ１を調節可能な手段をさらに設けてもよい。このように、腰ベルト６の挿通状態（すなわち文書ボード懸垂ベルト器具１及び腰ベルト６の着用状態）における腰ベルト６の最下部と開口８の最上部との間の上下方向の距離Ｈ１を、所定の長さ以上とすることにより、開口８が使用者の腰部よりも低い位置に設定されることになり、関節の柔軟性に欠けた高齢者にとっても、肉体的な負担やストレスを感じることなく、後述の文書ボード９を文書ボード係止部４にスムーズに挿入することが可能である。
【００３０】
図４〜５に示された文書ボード９は、主に、平板状基板部１０、文書固定部材１１及び係止部材１２を有する。この文書ボード９は、係止部材１２を介して、図１〜３に示された文書ボード懸垂ベルト器具１に係止される。
【００３１】
平板状基板部１０は、平板形状、すなわち扁平な略直方体形状であり、後述の文書固定部材１１及び係止部材１２に対する基板として機能する。平板状基板部１０の全体は、木材によって形成されている。平板状基板部１０の寸法は、特に限定されないが、典型的には長手方向の寸法を２０ｃｍ以上４０ｃｍ以下、幅方向の寸法を１５ｃｍ以上２５ｃｍ以下、厚みを０．５ｍｍ以上５．０ｍｍ以下とすることができる。文書ボード９をグラウンドゴルフのスコアの記録に用いる場合、平板状基板部１０は、グラウンドゴルフ用の公式記録用紙の全体が載置される寸法を有することが望ましい。
【００３２】
文書固定部材１１は、平板状基板部９の表面の上端近傍に設けられた文書を固定するためのステンレス製部材である。文書固定部材１１の固定機構は、文書を安定して固定あるいは挟持することが可能である限り、特に限定されない。
【００３３】
係止部材１２は、平板状基板部１０の裏面上端近傍に設けられ、文書ボード９を文書ボード懸垂ベルト器具１の文書ボード係止部４に係止するためのステンレス製部材である。係止部材１２は、上部から下部に向かう方向に沿って、幅方向の寸法が漸進的に小さくなると共に、平板状基板部１０の裏面から漸進的に離間するように形成されている。なお、ここでの「上」及び「下」は、腰ベルト着用及び文書ボード係止時における鉛直上下方向（一般的には平板状基板部１０の長手方向に一致する方向）を意味するものとする。係止部材１２の寸法は、特に限定されないが、係止部材１２の全体が文書ボード係止部４の薄肉中空体に格納されうる程度の寸法を有することが好ましい。
【００３４】
図６に示されるように、文書ボード懸垂ベルト器具１の文書ボード係止部４の薄肉中空体が有する基材部３の表面に対向する面の基材部表面に対する形成角度αは、文書ボード９の係止部材１２の平板状基板部１０に対する形成角度βよりも小さくなるように設定されている。文書ボード係止部４に関する形成角度αと係止部材１２に関する形成角度βとの関係をこのように設定することによって、係止部材１２に対して特別な操作や外力を施すことなく、係止部材１２を文書ボード係止部４の薄肉中空体に対して、スムーズに挿入することができる。その上、文書ボード９の安定した係止状態を保ちながら、基材部３に垂直な方向における文書ボード９の振動しろを確保することができる（ある程度の振動が許容される）ため、身体動作のフレキシビリティーが高まり、さらに軽快な運動が可能となる。このような効果は、係止部材１２を平板状基板部１０に対して弾性的に設置することにより、さらに高められる。
【００３５】
このように、本実施形態の文書ボード懸垂ベルト器具によれば、文書ボードを容易かつ確実に係止・保持できる上に、文書ボード用ホルダーを懸垂した腰ベルトを身体に装着した状態で軽快に競技あるいは歩行することができ、また関節の柔軟性が低い高齢者でも、肉体的な負担・ストレスを感じることなく、文書ボードを文書ボード係止部にスムーズに挿入することが可能である。さらに、当該文書ボード懸垂ベルト器具によれば、文書ボード係止部の薄肉中空体が基材部の表面の下端近傍を一側面としていることから、基材部に対する文書ボード係止部の取付施工が容易となり、ひいては材料コスト削減につながる。また、当該文書ボード懸垂ベルト器具によれば、文書ボード係止部の薄肉中空体の奥行方向の寸法及び幅方向の寸法並びに文書ボードの係止部材の幅方向の寸法が上記のように設定されることによって、文書ボードの係止部材を文書ボード係止部の薄肉中空体に、容易に挿入することができる上に、係止部材が薄肉中空体に対して安定して係止・保持され、身体動作の間においても、文書ボードの落下や紛失を未然に防止することが可能となる。さらには、当該文書ボード懸垂ベルト器具によれば、文書ボード係止部に関する形成角度と文書ボードの係止部材に関する形成角度との関係を上記のように設定することにより、係止部材を文書ボード係止部の薄肉中空体に対して、特別な操作や外力を施すことなくスムーズに挿入することができる上に、基材部に垂直な方向における文書ボードの振動しろを確保することができるため、競技あるいは歩行中において、より軽快かつ余裕のある身体動作が可能となる。また、当該文書ボード懸垂ベルト器具においては、文書ボードの平板状基板部の寸法を、グラウンドゴルフ用の公式記録用紙の全体が載置されるような大きさとすることによって、グラウンドゴルフのスコアの記録のために好適に用いることができる。
【００３６】
上記とは異なる実施形態に係る図７の文書ボード懸垂ベルト器具１３は、主に、図１〜３に示された文書ボード懸垂ベルト器具１（図７では省略）及び腰ベルト６に加えて、ペットボトル保持体１４を有する。このペットボトル保持体１４は、ペットボトル格納部材１５、円筒枠体１６、保持部材１７及び吊垂部材１８を有する。文書ボード懸垂ベルト器具１及び腰ベルト６については、上記実施形態のそれらの部材と同様であるから、ここでは説明を省略する。
【００３７】
ペットボトル保持体１４は、腰ベルト６にペットボトルを吊垂することによって、スポーツの競技中あるいは歩行中に、身体動作を阻害することなく、容易かつ迅速に水分の補給を可能とするように設けられる。
【００３８】
ペットボトル保持体１４のペットボトル格納部材１５は、ペットボトルを格納するための有底円筒状部材である。ペットボトル格納部材１５は、通常、５００ｍｌ容量のペットボトルの少なくとも下半を覆いかつ取り出しが容易である程度の長手方向の寸法を有し、同時に、５００ｍｌ容量のペットボトルを僅かに余裕を持った状態で安定して保持できる程度の内径を有する。従って、ペットボトル格納部材１５の長手方向の寸法は約１２ｃｍ以上２０ｃｍ以下、同部材の内径は約６ｃｍ以上８ｃｍ以下であることが好ましい。ペットボトル格納部材１５の外装材は、柔軟性を確保するため、合成繊維又は天然繊維性の布帛で形成される。また、ペットボトル格納部材１５の内面の略全体は、断熱材で被覆されている。このようにペットボトル格納部材１５の内面を断熱材（例えば、発泡ウレタン、アルミニウム系材料、それらの積層体など）で被覆することによって、ペットボトル内の飲料の温度を、長時間にわたり所望の範囲に保持することができる。
【００３９】
ペットボトル保持体１４の円筒枠体１６は、ペットボトル格納部材１５の内面の上端に接触するように設けられた扁平円筒状の薄肉ステンレス製枠体である。ペットボトル格納部材１５と円筒枠体１６との接合は、例えば、接着剤による接合であってもよいし、円筒枠体１６に穿設された複数の孔を通して縫着してもよい。円筒枠体１６の内径は、５００ｍｌ容量のペットボトルの直径より僅かに大きく設定される。また、円筒枠体１６の高さは、特に限定されないが、例えば１ｃｍ以上３ｃｍ以下に設定される。上記のペットボトル格納部材１５（外装材として布帛を使用）及び円筒枠体１６（ステンレス製）を組み合わせることによって、格納部の柔軟性を確保しつつ、ペットボトルを安定して保持することができるため、軽快かつ柔軟な身体動作が可能となる。
【００４０】
ペットボトル保持体１４の保持部材１７は、円筒枠体１６から上方に突設された短冊形のステンレス製部材であり、後述の吊垂部材１８を介して、ペットボトル保持体１４を腰ベルト６から吊垂・保持する機能を有する。保持部材１７は、円筒枠体１６から下方にも突設するように構成してもよい。保持部材１７を上下両方向に突設させることによって、ペットボトルをより安定して保持することが可能となる。円筒枠体１６上方への保持部材１７の突設長さは、例えば６ｃｍ以上１２ｃｍ以下とすることができる。また、保持部材１７を円筒枠体１６から下方にも突設させる場合、円筒枠体１６下方への保持部材１７の突設長さは、例えば１ｃｍ以上５ｃｍ以下とすることができる。なお、ここでの「上」及び「下」は、ペットボトル保持体１４のペットボトル格納部材１５に、ペットボトルを格納した状態におけるペットボトルの上方及び下方を意味するものとする。円筒枠体１６と保持部材１７との接合は、スポット溶接により行うことができる。
【００４１】
図８に示されるように、文書ボード懸垂ベルト器具１３において、吊垂部材１８が腰ベルト６に吊垂された状態におけるこの腰ベルト６の最下部と、円筒枠体１６の最上部との間の上下方向の距離Ｈ２は、少なくとも３０ｍｍ以上である。この距離Ｈ２は、さらに好ましくは５０ｍｍ以上とすることができる。また、使用者の身体的特性や競技中の身体動作などに合わせて、距離Ｈ２を調節可能な手段をさらに設けてもよい。このように、腰ベルト６の挿通状態（すなわち文書ボード懸垂ベルト器具１３及び腰ベルト６の着用状態）における腰ベルト６の最下部と円筒枠体１６の最上部との間の上下方向の距離Ｈ２を、所定の長さ以上とすることにより、円筒枠体１６（ペットボトルの格納入口）が使用者の腰部よりも低い位置に設定されることになり、関節の柔軟性に欠けた高齢者でも、肉体的な負担やストレスを感じることなく、ペットボトルをペットボトル格納部材１５にスムーズに格納することが可能である。
【００４２】
ペットボトル保持体１４の吊垂部材１８は、保持部材１７裏面の上端近傍に設けられ、腰ベルト６からペットボトル保持体１４を吊垂するためのステンレス製部材である。吊垂部材１８は、その最下部に、小さい外力を及ぼすことによって腰ベルト６の厚みを挿通可能である程度の間隙を有し、略コの字形状に形成されている。吊垂部材１８が、このような形状及び間隙を有することによって、腰ベルト６が安定した挿通状態に保持されると共に、ペットボトル保持体１４が適度な自由度を維持した状態で吊垂される。吊垂部材１８の寸法は、特に限定されないが、その長手方向の寸法は、少なくとも腰ベルト６の幅方向の全体が余裕をもって挿通可能である程度の大きさを有することが好ましい。保持部材１７と吊垂部材１８との接合は、円筒枠体１６と保持部材１７との接合と同様に、スポット溶接により行うことができる。
【００４３】
このように、本実施形態の文書ボード懸垂ベルト器具によれば、上記の実施形態により得られる効果に加えて、歩行中あるいはスポーツの競技中において、身体動作を阻害することなく、ペットボトルを腰部から確実に吊垂することができると共に、場所及び時間を選ぶことなく、容易に水分を補給することができる。さらには、当該文書ボード懸垂ベルト器具によれば、腰ベルトの最下部と円筒枠体の最上部との間の上下方向の距離を上記のように設定することによって、関節の柔軟性に欠ける高齢者にとっても、肉体的な負担やストレスを生じることなく、ペットボトルをペットボトル格納部材にスムーズに挿入することが可能である。また、当該文書ボード懸垂ベルト器具において、ペットボトル保持体の円筒枠体の内面の略全体に断熱材を用いることによって、ペットボトル内の飲料の温度を、長時間にわたって所望の範囲に保持することができる。
【００４４】
本発明の文書ボード懸垂ベルト器具の構成は、上記の特定の実施形態に限定されるものではない。例えば、文書ボード係止部の薄肉中空体は、基材部の表面の下端近傍を一側面とすることに替えて、基材部とは独立した略四角筒状に形成してもよい。また、上記文書ボード用ホルダー、文書ボード及びペットボトル保持体の少なくとも一部は、金属、合成樹脂及び布帛よりなる群から選択される材料から形成されていてもよい。これらの形状や材料の選択により、器具設計のバリエーションを高め、高齢者を含めた使用者の広範な嗜好に応えることができる。本発明の文書ボード懸垂ベルト器具は、グラウンドゴルフに限らず、文書ボードを保持することが必要な状況を生じうる様々なスポーツやアウトドア活動において、利用することができる。
【産業上の利用可能性】
【００４５】
本発明の文書ボード懸垂ベルト器具は、スコアや現況などを記録することが必要なグラウンドゴルフに代表されるスポーツやアウトドア活動のために、好適に利用することができる。  
【符号の説明】
【００４６】
１  文書ボード懸垂ベルト器具
２  文書ボード用ホルダー
３  基材部
４  文書ボード係止部
５  ベルト挿通部
６  腰ベルト
７  文書ボード係止部の空隙
８  文書ボード係止部の開口
９  文書ボード
１０  平板状基板部
１１  文書固定部材
１２  係止部材
１３  文書ボード懸垂ベルト器具
１４  ペットボトル保持体
１５  ペットボトル格納部材
１６  円筒枠体
１７  保持部材
１８  吊垂部材
Ｈ１  ベルト挿通部に腰ベルトが挿通された状態における腰ベルトの最下部と、文書ボード係止部開口の最上部との間の上下方向の距離
Ｈ２  ペットボトル保持体の吊垂部材が腰ベルトに吊垂された状態における腰ベルトの最下部と、円筒枠体の最上部との間の上下方向の距離
α  文書ボード係止部の薄肉中空体が有する基材部表面に対向する面の基材部表面に対する形成角度
β  文書ボードの係止部材の平板状基板部に対する形成角度
【図１】
2011019752.tif 000003
【図２】
2011019752.tif 000004
【図３】
2011019752.tif 000005
【図４】
2011019752.tif 000006
【図５】
2011019752.tif 000007
【図６】
2011019752.tif 000008
【図７】
2011019752.tif 000009
【図８】
2011019752.tif 000010
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
短冊形の基材部、この基材部の表面の下端近傍に設けられた文書ボード係止部、及び基材部の裏面の上端近傍に設けられたベルト挿通部を有する文書ボード用ホルダーと、このベルト挿通部に挿通され、上記文書ボード用ホルダーを懸垂する腰ベルトと、上記文書ボード係止部に係止される文書ボードとを備え、
上記文書ボード係止部は、基材部の表面に対して垂直方向に扁平な空隙を有する薄肉中空体であり、
上記ベルト挿通部に腰ベルトが挿通された状態におけるこの腰ベルトの最下部と、上記開口の最上部との間の上下方向の距離が、少なくとも３０ｍｍ以上であり、
上記文書ボードが、平板状基板部、この平板状基板部の表面の上端近傍に設けられた文書固定部材、及び平板状基板部の裏面の上端近傍に設けられた係止部材を有し、
上記文書ボード係止部の薄肉中空体が、基材部の表面の下端近傍を一側面とし、上面及び下面に開口を有する略四角筒状に形成されており、この略四角筒状に形成された薄肉中空体の奥行方向の寸法及び幅方向の寸法が、薄肉中空体の上部から下部に向かう方向に沿って、漸進的に小さくなっており、
上記文書ボードの係止部材が、上部から下部に向かう方向に沿って、幅方向の寸法が漸進的に小さくなると共に、平板状基板部の裏面から漸進的に離間するように形成されており、
かつ、文書ボード係止部の薄肉中空体が有する基材部表面に対向する面の基材部表面に対する形成角度が、文書ボードの係止部材の平板状基板部に対する形成角度よりも小さい文書ボード懸垂ベルト器具。
【請求項２】
上記文書ボードの平板状基板部が、グラウンドゴルフ用の公式記録用紙の全体が載置される寸法を有する請求項１に記載の文書ボード懸垂ベルト器具。
【請求項３】
上記腰ベルトに吊垂されるペットボトル保持体を更に備え、
このペットボトル保持体は、ペットボトルが格納される有底円筒状のペットボトル格納部材と、このペットボトル格納部材の内面上端に接触して設けられた扁平な円筒枠体と、この円筒枠体から上方に突設された短冊形の保持部材と、この保持部材の裏面の上端近傍に設けられた吊垂部材とを有し、
この吊垂部材が腰ベルトに吊垂された状態におけるこの腰ベルトの最下部と、上記円筒枠体の最上部との間の上下方向の距離が、少なくとも３０ｍｍ以上である請求項１又は請求項２に記載の文書ボード懸垂ベルト器具。
【請求項４】
上記ペットボトル保持体の円筒枠体の内面の少なくとも一部が、断熱材によって形成されている請求項３に記載の文書ボード懸垂ベルト器具。
【請求項５】
上記文書ボード用ホルダーにおける基材部とベルト挿通部との間、基材部と文書ボード係止部との間、上記ペットボトル保持体における円筒枠体と保持部材との間、及び保持部材と吊垂部材との間の少なくとも一つが、スポット溶接によって接合されている請求項３又は請求項４に記載の文書ボード懸垂ベルト器具。
【手続補正２】
【補正対象書類名】明細書
【補正対象項目名】０００９
【補正方法】変更
【補正の内容】
【０００９】
上記課題を解決するためになされた発明は、
短冊形の基材部、この基材部の表面の下端近傍に設けられた文書ボード係止部、及び基材部の裏面の上端近傍に設けられたベルト挿通部を有する文書ボード用ホルダーと、このベルト挿通部に挿通され、上記文書ボード用ホルダーを懸垂する腰ベルトと、上記文書ボード係止部に係止される文書ボードとを備え、
上記文書ボード係止部は、基材部の表面に対して垂直方向に扁平な空隙を有する薄肉中空体であり、
上記ベルト挿通部に腰ベルトが挿通された状態におけるこの腰ベルトの最下部と、上記開口の最上部との間の上下方向の距離が、少なくとも３０ｍｍ以上であり、
上記文書ボードが、平板状基板部、この平板状基板部の表面の上端近傍に設けられた文書固定部材、及び平板状基板部の裏面の上端近傍に設けられた係止部材を有し、
上記文書ボード係止部の薄肉中空体が、基材部の表面の下端近傍を一側面とし、上面及び下面に開口を有する略四角筒状に形成されており、この略四角筒状に形成された薄肉中空体の奥行方向の寸法及び幅方向の寸法が、薄肉中空体の上部から下部に向かう方向に沿って、漸進的に小さくなっており、
上記文書ボードの係止部材が、上部から下部に向かう方向に沿って、幅方向の寸法が漸進的に小さくなると共に、平板状基板部の裏面から漸進的に離間するように形成されており、
かつ、文書ボード係止部の薄肉中空体が有する基材部表面に対向する面の基材部表面に対する形成角度が、文書ボードの係止部材の平板状基板部に対する形成角度よりも小さい文書ボード懸垂ベルト器具である。
【手続補正３】
【補正対象書類名】明細書
【補正対象項目名】００１１
【補正方法】変更
【補正の内容】
【００１１】
当該文書ボード懸垂ベルト器具は、文書ボード係止部に係止される文書ボードを更に備え、この文書ボードは、平板状基板部、この平板状基板部の表面の上端近傍に設けられた文書固定部材、及び平板状基板部の裏面の上端近傍に設けられた係止部材を有する。当該文書ボード懸垂ベルト器具が、文書ボード係止部に係止可能な文書ボードを更に備えることによって、文書ボードを文書ボード係止部に確実に係止した状態で、文書ボード及びこれに固定したスポーツのスコアの記録用紙などを常に身体に装着して、競技あるいは歩行を行うことができる。
【手続補正４】
【補正対象書類名】明細書
【補正対象項目名】００１２
【補正方法】変更
【補正の内容】
【００１２】
当該文書ボード懸垂ベルト器具において、文書ボード係止部の薄肉中空体は、基材部表面の下端近傍を一側面とし、上面及び下面に開口を有する略四角筒状に形成されており、この略四角筒状に形成された薄肉中空体の奥行方向の寸法及び幅方向の寸法は、薄肉中空体の上部から下部に向かう方向に沿って漸進的に小さくなっており、文書ボードの係止部材は、上部から下部に向かう方向に沿って、幅方向の寸法が漸進的に小さくなると共に、平板状基板部の裏面から漸進的に離間するように形成されており、かつ、文書ボード係止部の薄肉中空体が有する基材部表面に対向する面の基材部表面に対する形成角度は、文書ボードの係止部材の平板状基板部に対する形成角度よりも小さい。
【手続補正５】
【補正対象書類名】明細書
【補正対象項目名】００１９
【補正方法】削除
【補正の内容】